【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】
（ａ）７０〜１００重量％の、ＡＳＴＭ試験方法Ｅ−９６Ｄに従って測定した、少なくとも３００ｇ−μｍ／ｍ2−時又はｇ−ミル／ｍ2−日のＭＶＴＲ値を有する少なくとも１種又はそれ以上の熱可塑性ポリマー及び０〜３０重量％の充填剤を含む第一層並びに（ｂ）２０〜８０重量％の少なくとも１種又はそれ以上の熱可塑性ポリマー及び２０〜８０重量％の充填剤を含む第二層（ここで第二層は、延伸された形で、第二層の少なくとも１種又はそれ以上の熱可塑性ポリマーの、ＡＳＴＭ  Ｅ−９６Ｄに従ったＭＶＴＲ値よりも大きい、ＡＳＴＭ  Ｅ−９６Ｄに従ったＭＶＴＲ値を有する）を含んでなる多層フィルムであって、第一層の少なくとも１種又はそれ以上の熱可塑性ポリマーと、第二層の少なくとも１種又はそれ以上の熱可塑性ポリマーとが同じものであるときには、第二層が第一層中の充填剤の量とは異なる充填剤の量を含み、第一層が第二層に隣接しており、そして多層フィルムが、延伸された形で、第一層の少なくとも１種又はそれ以上の熱可塑性ポリマーのＡＳＴＭ  Ｅ−９６Ｄに従ったＭＶＴＲ値よりも大きい、ＡＳＴＭ  Ｅ−９６Ｄに従ったＭＶＴＲ値を有する多層フィルム。
【請求項２】
第一層の少なくとも１種又はそれ以上の熱可塑性ポリマーと第二層の少なくとも１種又はそれ以上の熱可塑性ポリマーとが同じものである請求項１記載の多層フィルム。
【請求項３】
第一層の少なくとも１種又はそれ以上の熱可塑性ポリマーが、少なくとも３００〜１０，０００ｇ−μｍ／ｍ2−時又はｇ−ミル／ｍ2−日の範囲内のＭＶＴＲ値を有する請求項１に記載の多層フィルム。
【請求項４】
第一層の熱可塑性ポリマーがポリ乳酸ポリマー及びコポリマー、ポリウレタン、吉草酸及びγ−ヒドロキシアルカノエートのコモノマーとのポリヒドロキシブチレートコポリマー、ポリエステルアミド、ポリビニルアルコール、セルロースエステル、ポリカプロイルラクトンポリマー及びコポリマー、テレフタル酸及びイソフタル酸とジオール及びポリテトラメチレングリコール若しくはポリプロピレングリコールとのコポリマー、ポリエチレングリコールとのポリエーテルアミド、ポリエチレングリコール変性ポリブチレンテレフタレート、ポリエーテルウレタン並びに式
【化１】
2002347184.tif 000001
［式中、Ｒ1はＣ2〜Ｃ8アルキレン又はオキシアルキレンからなる１種又はそれ以上の基から選択され、そしてＲ1のモル％は８０〜１００であり、
Ｒ3はＣ2〜Ｃ8アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ8アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ3のモル％は０〜２０であり、
Ｒ2はＣ2〜Ｃ12アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ12アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ2のモル％は３５〜９５であり、
Ｒ4はＣ6〜Ｃ10アリール；ハロ、Ｃ6〜Ｃ10アリール及びＣ1〜Ｃ4アルコキシからなる群から独立に選択された１〜４個の置換基で置換されたＣ6〜Ｃ10アリール；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ4のモル％は５〜６５である］
の繰り返し単位を含んでなる直鎖の若しくは枝分かれした若しくは鎖延長した、ランダムの、脂肪族−芳香族コポリエステル又はこれらのブレンドからなる群から選択される請求項１に記載の多層フィルム。
【請求項５】
第一層の熱可塑性ポリマーが、式
【化２】
2002347184.tif 000002
［式中、Ｒ1はＣ2〜Ｃ8アルキレン又はオキシアルキレンからなる１種又はそれ以上の基から選択され、そしてＲ1のモル％は８０〜１００であり、
Ｒ3はＣ2〜Ｃ8アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ8アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ3のモル％は０〜２０であり、
Ｒ2はＣ2〜Ｃ12アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ12アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ2のモル％は３５〜９５であり、
Ｒ4はＣ6〜Ｃ10アリール；ハロ、Ｃ6〜Ｃ10アリール及びＣ1〜Ｃ4アルコキシからなる群から独立に選択された１〜４個の置換基で置換されたＣ6〜Ｃ10アリール；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ4のモル％は５〜６５である］
の繰り返し単位からなる、直鎖の又は枝分かれした又は鎖延長した、ランダムの、脂肪族−芳香族コポリエステルである請求項１に記載の多層フィルム。
【請求項６】
Ｒ1がＣ2〜Ｃ8アルキレンから選択され、９０〜１００モル％の量で存在し、Ｒ3が０〜１０モル％の量で存在し、Ｒ2がＣ2〜Ｃ8アルキレン又はオキシアルキレンからなる１種又はそれ以上の基から選択され、３５〜９５モル％の量で存在し、そしてＲ4がＣ6〜Ｃ10アリールからなる１種又はそれ以上の基から選択され、５〜６５モル％の量で存在する請求項５に記載の多層フィルム。
【請求項７】
Ｒ1がＣ2〜Ｃ4アルキレンから選択され、９５〜１００モル％の量で存在し、Ｒ3が０〜５モル％の量で存在し、Ｒ2がＣ2〜Ｃ6アルキレン又はＣ2オキシアルキレンからなる１種又はそれ以上の基から選択され、３５〜６５モル％の量で存在し、そしてＲ4が１，４−二置換Ｃ6アリールであり、３５〜６５モル％の量で存在する請求項５に記載の多層フィルム。
【請求項８】
少なくとも１種又はそれ以上の直鎖の又は枝分かれした又は鎖延長した、ランダムの、脂肪族−芳香族コポリエステルが１００モル％の酸成分及び１００モル％のジオール成分を基準にしており、そして（ａ）３０〜７５モル％のグルタル酸及び２５〜７０モル％のテレフタル酸の酸成分並びに９０〜１００モル％の１，４−ブタンジオール及び０〜１０モル％の変性ジオールのジオール成分、
（ｂ）３０〜９５モル％のコハク酸及び５〜７０モル％のテレフタル酸の酸成分並びに９０〜１００モル％の１，４−ブタンジオール及び０〜１０モル％の変性ジオールのジオール成分並びに
（ｃ）３０〜７５モル％のアジピン酸及び２５〜７０モル％のテレフタル酸の酸成分並びに９０〜１００モル％の１，４−ブタンジオール及び０〜１０モル％の変性ジオールのジオール成分を含むコポリエステルからなる群から選択される請求項５に記載の多層フィルム。
【請求項９】
変性ジオールが１，４−シクロヘキサンジメタノール、トリエチレングリコール、ポリエチレングリコール及びネオペンチルグリコールからなる群から選択される請求項８に記載の多層フィルム。
【請求項１０】
酸成分が５０〜６０モル％のアジピン酸及び４０〜５０モル％のテレフタル酸を含んでなり、そしてグリコール成分が少なくとも９５〜１００モル％の１，４−ブタンジオールを含む請求項８に記載の多層フィルム。
【請求項１１】
酸成分が５５〜６０モル％のアジピン酸及び４０〜４５モル％のテレフタル酸を含んでなる請求項１０に記載の多層フィルム。
【請求項１２】
延伸された形態である請求項１に記載の多層フィルム。
【請求項１３】
請求項１に記載の多層フィルムを含んでなる製造物品。
【請求項１４】
充填剤が炭酸カルシウムである請求項１に記載の多層フィルム。
【請求項１５】
（ａ）（ｉ）７０〜１００重量％の、ＡＳＴＭ試験方法Ｅ−９６Ｄに従って測定した、少なくとも３００ｇ−μｍ／ｍ2−時又はｇ−ミル／ｍ2−日のＭＶＴＲ値を有し、そして式
【化３】
2002347184.tif 000003
［式中、Ｒ1はＣ2〜Ｃ8アルキレン又はオキシアルキレンからなる１種又はそれ以上の基から選択され、そしてＲ1のモル％は８０〜１００であり、
Ｒ3はＣ2〜Ｃ8アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ8アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ3のモル％は０〜２０であり、
Ｒ2は、Ｃ2〜Ｃ12アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ12アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ2のモル％は３５〜９５であり、
Ｒ4は、Ｃ6〜Ｃ10アリール；ハロ、Ｃ6〜Ｃ10アリール及びＣ1〜Ｃ4アルコキシからなる群から独立に選択された１〜４個の置換基で置換されたＣ6〜Ｃ10アリール；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ4のモル％は５〜６５である］
の繰り返し単位からなる、少なくとも１種又はそれ以上の直鎖の又は枝分かれした又は鎖延長した、ランダムの、脂肪族−芳香族コポリエステル及び（ｉｉ）０〜３０重量％の充填剤からなる第一層並びに（ｂ）延伸された形で、少なくとも５００ｇ−μｍ／ｍ2−時又はｇ−ミル／ｍ2−日のＡＳＴＭ  Ｅ−９６Ｄに従ったＭＶＴＲ値を有し、そして（ｉ）２０〜６５重量％の、ポリオレフィン及び第一層の直鎖の又は枝分かれした又は鎖延長した、ランダムの、脂肪族−芳香族コポリエステルからなる群から選択された、１種又はそれ以上の熱可塑性ポリマー及び（ｉｉ）３５〜８０重量％の充填剤からなる第二層からなる多層フィルムであって、第一層が第二層に隣接しており、そして多層フィルムが、延伸された形で、第一層の少なくとも１種又はそれ以上の直鎖の又は枝分かれした又は鎖延長した、ランダムの、脂肪族−芳香族コポリエステルのＡＳＴＭ  Ｅ−９６Ｄに従ったＭＶＴＲ値よりも大きい、ＡＳＴＭ  Ｅ−９６Ｄに従ったＭＶＴＲ値を有する多層フィルム。
【請求項１６】
第一層の少なくとも１種又はそれ以上の直鎖の又は枝分かれした又は鎖延長した、ランダムの、脂肪族−芳香族コポリエステルが、少なくとも３００〜３０００ｇ−μｍ／ｍ2−時又はｇ−ミル／ｍ2−日の範囲内のＭＶＴＲ値を有する請求項１５に記載の多層フィルム。
【請求項１７】
第二層の熱可塑性ポリマーが式
【化４】
2002347184.tif 000004
［式中、Ｒ1は、Ｃ2〜Ｃ8アルキレン又はオキシアルキレンからなる１種又はそれ以上の基から選択され、そしてＲ1のモル％は８０〜１００であり、
Ｒ3はＣ2〜Ｃ8アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ8アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ3のモル％は０〜２０であり、
Ｒ2はＣ2〜Ｃ12アルキレン又はオキシアルキレン；ハロ、Ｃ6〜Ｃ10アリール及びＣ1〜Ｃ4アルコキシからなる群から独立に選択された１〜４個の置換基で置換されたＣ2〜Ｃ12アルキレン又はオキシアルキレン；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ2のモル％は３５〜９５であり、
Ｒ4はＣ6〜Ｃ10アリール；ハロ、Ｃ6〜Ｃ10アリール及びＣ1〜Ｃ4アルコキシからなる群から独立に選択された１〜４個の置換基で置換されたＣ6〜Ｃ10アリール；Ｃ5〜Ｃ10シクロアルキレン；ハロ、Ｃ6〜Ｃ10アリール及びＣ1〜Ｃ4アルコキシからなる群から独立に選択された１〜４個の置換基で置換されたＣ5〜Ｃ10シクロアルキレンからなる１種又はそれ以上の基から選択され、そしてＲ4のモル％は５〜６５である］
の繰り返し単位からなる、直鎖の又は枝分かれした又は鎖延長した、ランダムの、脂肪族−芳香族コポリエステルである、請求項１５に記載の多層フィルム。
【請求項１８】
第二層が、延伸された形で、少なくとも５００〜１０，０００ｇ−μｍ／ｍ2−時又はｇ−ミル／ｍ2−日の範囲内のＭＶＴＲ値を有する請求項１５に記載の多層フィルム。
【請求項１９】
充填剤が炭酸カルシウムである請求項１５に記載の多層フィルム。
【請求項２０】
Ｒ1がＣ2〜Ｃ8アルキレンから選択され、９０〜１００モル％の量で存在し、Ｒ3が０〜１０モル％の量で存在し、Ｒ2が、Ｃ2〜Ｃ8アルキレン又はオキシアルキレンからなる１種又はそれ以上の基から選択され、３５〜９５モル％の量で存在し、そしてＲ4がＣ6〜Ｃ10アリールからなる１種又はそれ以上の基から選択され、５〜６５モル％の量で存在する請求項１５に記載の多層フィルム。
【請求項２１】
Ｒ1がＣ2〜Ｃ4アルキレンから選択され、９５〜１００モル％の量で存在し、Ｒ3が０〜５モル％の量で存在し、Ｒ2がＣ2〜Ｃ6アルキレン又はＣ2オキシアルキレンからなる１種又はそれ以上の基から選択され、６５〜３５モル％の量で存在し、そしてＲ4が１，４−二置換Ｃ6アリールであり、３５〜６５モル％の量で存在する請求項１５に記載の多層フィルム。
【請求項２２】
少なくとも１種又はそれ以上の直鎖の又は枝分かれした又は鎖延長した、ランダムの、脂肪族−芳香族コポリエステルが、１００モル％の酸成分及び１００モル％のジオール成分を基準にしており、そして
（ａ）３０〜７５モル％のグルタル酸及び２５〜７０モル％のテレフタル酸の酸成分並びに９０〜１００モル％の１，４−ブタンジオール及び０〜１０モル％の変性ジオールのジオール成分、
（ｂ）３０〜９５モル％のコハク酸及び５〜７０モル％のテレフタル酸の酸成分並びに９０〜１００モル％の１，４−ブタンジオール及び０〜１０モル％の変性ジオールのジオール成分並びに
（ｃ）３０〜７５モル％のアジピン酸及び２５〜７０モル％のテレフタル酸の酸成分並びに９０〜１００モル％の１，４−ブタンジオール及び０〜１０モル％の変性ジオールのジオール成分を含んでなるコポリエステルからなる群から選択される請求項１５に記載の多層フィルム。
【請求項２３】
変性ジオールが１，４−シクロヘキサンジメタノール、トリエチレングリコール、ポリエチレングリコール及びネオペンチルグリコールからなる群から選択される請求項２２に記載の多層フィルム。
【請求項２４】
酸成分が５０〜６０モル％のアジピン酸及び４０〜５０モル％のテレフタル酸を含んでなり、そしてグリコール成分が少なくとも９５〜１００モル％の１，４−ブタンジオールを含んでなる請求項２２に記載の多層フィルム。
【請求項２５】
酸成分が５５〜６０モル％のアジピン酸及び４０〜４５モル％のテレフタル酸を含んでなる請求項２４に記載の多層フィルム。
【請求項２６】
延伸された形態である請求項１５に記載の多層フィルム。
【請求項２７】
多層フィルムが５００〜１０，０００ｇ−μｍ／ｍ2−時又はｇ−ミル／ｍ2−日より大きいＭＶＴＲ値を有する請求項２６に記載の多層フィルム。
【請求項２８】
延伸された形態である請求項１７に記載の多層フィルム。
【請求項２９】
請求項１５に記載の多層フィルムを含んでなる製造物品。
【請求項３０】
請求項１７に記載の多層フィルムを含んでなる製造物品。
【請求項３１】
請求項２８に記載の多層フィルムを含んでなる製造物品。
【請求項３２】
請求項１２に記載の多層フィルムを含んでなる製造物品。